(57)【要約】  本発明は眼鏡用テンプル装飾キットとその使用方法に関する。テンプル装飾キットは、平らな背面を備える装飾品に係止されるテンプル取り付け装置を備える。係止リングサドルは、該背面からしっかりと延設され、該背面に対して略垂直である。更に、テンプル取り付け装置は、弾性材料から成り、ステム部によって相互接続されるラッチ部と環状部とを備える。ラッチ部は、装飾品の係止リングサドルに挿入され貫通され、係止されるように構成されている。環状部は、例えば円形又は楕円形であり、眼鏡のテンプルが挿通可能に構成され、環状部の内側開口は、テンプルを選択された位置で把持可能なサイズである。
2020509433.tif 000002
【特許請求の範囲】
【請求項１】
眼鏡（５０）のテンプル（４０）への装飾品の取り付けを容易にする眼鏡用のテンプル装飾キット（１００、１０１、４００、４０１、７００）であって、
ａ）ｉ．  軸（２１５、５１５、７５５）を有する囲い状の内側開口（２１４、５１４、７５０）を備える環状部（２１０、５１０、７１６）と、
ｉｉ．  装飾係止部と
を備えるテンプル取り付け装置（２００、５００、７１０）と、
ｂ）ｉ．  装飾部（３１０、３１１、６１１）と、
ｉｉ．  取り付け接触部分係止部と
を備える装飾品（３００、３０１、６００、６０１）と
を備え、
前記テンプル取り付け装置は弾性材料から成る単一ユニットであり、
前記テンプルは、前記環状部の前記囲い状の内側開口を動作可能に貫通され、
前記環状部の前記囲い状の内側開口は、選択された位置で前記テンプルを把持可能なサイズであり、
前記装飾品は単一ユニットであり、
前記装飾係止部は、前記取り付け接触部分係止部と連結するように構成された係止リングサドル（３２０、６２０、６２１）であり、
前記装飾係止部が前記取り付け接触部分係止部と連結するとき、前記装飾品は前記テンプルから離れる方向を向くことを特徴とするテンプル装飾キット。
【請求項２】
前記装飾係止部（２００、２０１、５０００、５０１）はラッチ部（２３０、２３１、５３０、５３１）とステム部（２２０、５２０）とを備え、
前記ステム部は前記環状部（２１０）と前記ラッチ部を相互接続することを特徴とする、請求項１に記載のテンプル装飾キット。
【請求項３】
前記装飾部は平らな背面（３１２）を備え、
前記取り付け接触部分係止部は、上面（３２４）を備え、前記平らな背面からしっかりと延設され、前記平らな背面に対して略垂直な係止リングサドル（３２０）を備え、
細長い内側開口（３２２）は、狭い寸法と前記背面に略平行な長い寸法とを有し、係止リングサドルの内側に形成されることを特徴とする、請求項２に記載のテンプル装飾キット（１００、１０１）。
【請求項４】
前記係止リングサドル（３２０）は、略横方向で、且つ、前記眼鏡（５０）の各テンプル（４０）の上縁に略平行な下面（３２３）を備えることを特徴とする、請求項３に記載のテンプル装飾キット（１００、１０１）。
【請求項５】
前記装飾係止部（２００）はラッチ部（２３０）とステム部（２２０）とを備え、
前記ステム部は前記環状部（２１０）と前記ラッチ部を相互接続し、
前記ステム部の幅は、前記係止リングサドルの前記内側開口の前記狭い寸法よりも小さいサイズであり、
前記ラッチ部は、前記ステム部の両側から延び、細長いラッチリブを形成し、
前記細長いラッチ部は、前記環状部の前記内側開口（２１４）の前記軸（２１５）に対して略垂直であり、
前記細長いラッチ部は、前記係止リングサドルの前記内側開口（３２２）に挿入され貫通されるように構成されており、
前記平らな背面に形成された窪み（３３０）には、前記細長いラッチ部が回転可能に挿入されることが可能であり、
前記係止リングサドルの前記上面と揃えて配置されたベンチ部（３３４）が、前記窪みの内側に形成されることを特徴とする、請求項３に記載のテンプル装飾キット（１００）。
【請求項６】
前記細長いラッチ部を前記係止リングサドルの前記内側開口に挿通させ、前記ステム部が前記係止リングサドルの前記内側開口の内側に収容されると、
前記テンプル取り付け装置（２００）が前記ステム部を中心として回転されて、
前記環状部の前記内側開口は、前記軸（２１５）が前記平らな背面に略平行になるまで、前記平らな背面から離れる方向に（１２０）移動し、
前記ラッチ部の第１側が前記係止リングサドルの前記上面に寄り掛かり、前記ラッチ部の第２側が前記ベンチ部に寄り掛かることで、組み立てた前記テンプル装飾キット（１００）を係止状態とすることを特徴とする、請求項５に記載のテンプル装飾キット（１００）。
【請求項７】
前記装飾係止部（２００）はラッチ部（２３０）とステム部（２２０）とを備え、
前記ステム部は前記環状部（２１０）と前記ラッチ部を相互接続し、
前記ステム部は、前記係止リングサドルの前記内側開口の前記狭い寸法よりも小さいサイズであり、
前記ラッチ部は、前記ステム部から第１方向に延び、細長いラッチリブを形成し、
前記細長いラッチ部は、前記環状部の前記内側開口（２１４）の前記軸（２１５）に対して略垂直であり、
前記細長いラッチ部は、前記係止リングサドルの前記内側開口（３２２）に挿入され貫通されるように構成されていることを特徴とする、請求項３に記載のテンプル装飾キット（１０１）。
【請求項８】
前記細長いラッチ部を前記係止リングサドルの前記内側開口に挿通させ、前記ステム部が前記係止リングサドルの前記内側開口の内側に収容されると、
前記テンプル取り付け装置（２０１）が前記ステム部を中心として回転されて、
前記環状部の前記内側開口は、前記軸（２１５）が前記平らな背面に略平行になるまで、前記平らな背面から離れる方向に（１２０）移動し、
前記ラッチ部が前記係止リングサドルの前記上面に寄り掛かることで、組み立てた前記テンプル装飾キット（１０１）を係止状態とすることを特徴とする、請求項７に記載のテンプル装飾キット（１０１）。
【請求項９】
前記テンプル取り付け装置（２００、２０１）は平らな前面（２１２）を備え、
前記係止状態に達すると、前記平らな前面（２１２）は、前記平らな背面（３１２）に寄り掛かり又は近接することを特徴とする、請求項６又は８に記載のテンプル装飾キット。
【請求項１０】
前記装飾部は前記平らな背面（６１２）を備え、
前記係止リングサドル（６２０）は、前記平らな背面からしっかりと延設され、前記平らな背面に対して略垂直であり、
前記係止リングサドル（６２０）は上面（６２４）と下面（６２３）とを備えることを特徴とする、請求項２に記載のテンプル装飾キット（４００、４０１）。
【請求項１１】
前記下面（６２３）は、略横方向で、且つ、前記眼鏡（５０）の各テンプル（４０）の上縁に略平行であることを特徴とする、請求項１０に記載のテンプル装飾キット（４００、４０１）。
【請求項１２】
前記装飾係止部（５００）はラッチ部（５３０）とステム部（５２０）とを備え、
前記ステム部は前記環状部（５１０）と前記ラッチ部を相互接続し、
前記ステム部の幅は、前記係止リングサドルの前記内側開口の最小寸法よりも小さいサイズであり、
前記ラッチ部は、前記係止リングサドルの前記上面と略平行な平らな周面（５３６）を形成する前記ステム部の全ての側面から離れる方向に延設されたマッシュルームの傘の形状であり、
前記ラッチ部は、前記係止リングサドルの前記内側開口（６２２）に挿入され貫通されるように構成されていることを特徴とする、請求項１０に記載のテンプル装飾キット（４００）。
【請求項１３】
前記ラッチ部を前記係止リングサドルの前記内側開口に挿通させ、前記ステム部が前記係止リングサドルの前記内側開口の内側に収容されると、
前記平らな周面が前記係止リングサドルの前記上面に寄り掛かることで、組み立てた前記テンプル装飾キット（４００）を係止状態とすることを特徴とする、請求項１２に記載のテンプル装飾キット（４００）。
【請求項１４】
前記装飾係止部（５００）はラッチ部（５３０）とステム部（５２０）とを備え、
前記ステム部は前記環状部（５１０）と前記ラッチ部を相互接続し、
前記ステム部の幅は、前記係止リングサドルの前記内側開口の最小寸法よりも小さいサイズであり、
前記ラッチ部は、前記係止リングサドルの前記上面と略平行である平らな周面（５３６）を形成する前記ステム部の全ての側面から延設されたマッシュルームの傘の形状であり、
前記ラッチ部は、前記係止リングサドルの前記内側開口（６２２）に挿入され貫通されるように構成されており、
前記平らな背面に形成された窪み（３３０）には、前記ラッチ部が回転可能に挿入されることが可能であり、
前記係止リングサドルの前記上面と揃えて配置されたベンチ部（３３４）が、前記窪みの内側に形成されることを特徴とする、請求項１０に記載のテンプル装飾キット（４００）。
【請求項１５】
前記ラッチ部を前記係止リングサドルの前記内側開口に挿通させ、前記ステム部が前記係止リングサドルの前記内側開口の内側に収容されると、
前記平らな周面が前記係止リングサドルの前記上面に寄り掛かることで、組み立てた前記テンプル装飾キット（４００）をベンチ部の上から係止した状態とすることを特徴とする、請求項１４に記載のテンプル装飾キット（４００）。
【請求項１６】
前記装飾係止部（５００）はラッチ部（５３０）と略縦方向の外面を備えるステム部（５２０）とを備え、
前記ステム部は前記環状部（５１０）と前記ラッチ部を相互接続し、
前記ステム部の幅は、前記係止リングサドルの前記内側開口の最小寸法よりも小さいサイズであり、
前記ラッチ部は、前記係止リングサドルの前記上面と略平行で部分的に平らな周面（５３６）を形成する前記ステム部の外面の一部から離れる方向に延設されたマッシュルームの傘の形状であり、
前記ラッチ部は、前記係止リングサドルの前記内側開口（６２２）に挿入され貫通されるように構成されていることを特徴とする、請求項１０に記載のテンプル装飾キット（４０１）。
【請求項１７】
前記ラッチ部を前記係止リングサドルの前記内側開口に挿通させ、前記ステム部が前記係止リングサドルの前記内側開口の内側に収容されると、
前記平らな周面が前記係止リングサドルの前記上面に寄り掛かることで、組み立てた前記テンプル装飾キット（４０１）を係止状態とすることを特徴とする、請求項１６に記載のテンプル装飾キット（４０１）。
【請求項１８】
前記テンプル取り付け装置（４００、４０１）は平らな前面（５１２）を備え、
前記係止状態に達すると、前記平らな前面（５１２）は、前記平らな背面（６１２）に寄り掛かり又は近接し、
前記部分的に平らな平面は、前記平らな背面（６１２）を越えて前記ステム部の前記外周から離れる方向に延設されていないことを特徴とする、請求項１７に記載のテンプル装飾キット（４０１）。
【請求項１９】
前記係止リングサドル（３２０、６２０、６２１）は硬質材料から成ることを特徴とする、請求項１に記載のテンプル装飾キット。
【発明の詳細な説明】
【技術分野】
【０００１】
本発明は、眼鏡用装飾品に関し、より詳細には、眼鏡のテンプルに装着可能な装飾品に関する。
【背景技術】
【０００２】
眼鏡のテンプルに取り付けるように設計された、例えば宝飾品等の装飾品が、当該技術分野で公知である。
【０００３】
発明者Ｑｕｉｎｏｎｅｓらによる米国特許第２，９６０，７８７号公報には、固定される装飾品を取り付ける手段が教示されており、装飾品を収容するために眼鏡を変更する必要がある。
【０００４】
発明者Ｓａｄｅｌによる米国特許第３，０１０，３６５号公報には、スポーツイベントの際眼鏡を着用者に保持する目的で眼鏡のテンプル（イヤーピース）の末端へのアタッチメントが教示されている。装飾品はイヤーピースのアタッチメントに付け加えられる。
【０００５】
発明者Ｍｅｎｄｏｌａによる米国特許第４，９６８,１２８号公報には、眼鏡のテンプルに装飾品を取り付けるための取り外し可能に固定された固いヒンジ接続された金属クリップが教示されている。
【０００６】
発明者Ｔｒｅａｄａｗａｙによる米国第４，９７４，９５５号公報および米国特許第４，１５３，３４６号公報には、テンプルの末端又はイヤーアタッチメント端部に装飾品を取り付けることが教示されている。
【０００７】
発明者Ｎｉｔｔａによる米国特許第５,１６１，２３４号公報には、眼鏡のレンズフレームにテンプルを接続するために使用される螺子に装飾品を取り付けることが教示されている。
【０００８】
発明者ＭｃＮｕｌｔｙによる米国特許第５，４９７，２１１号公報には、ペナント等を飾るため眼鏡のテンプルピースに取り付け可能な溝を有する略平面部材が教示されている。
【０００９】
発明者ＬｏｗｅおよびＫｒｏｎによる米国特許第５，８９６，１８４号公報には、取り付け自在な、通常の眼鏡のテンプルピース用装飾品が教示されており、２つの弾性Ｏリングは、テンプルピースを把持可能なサイズであり、その間で装飾品の移動を制限するストッパとして機能する。
【００１０】
発明者ＮｅｌｓｏｎおよびＢａｓｋｏｍによる米国特許第６，８６３，３９４号公報には、選択的に着脱可能なヒンジ螺子を用いるヒンジ接続部を有する従来の眼鏡に選択的に装着するための装飾品のアタッチメントであって、眼鏡の視覚的魅力を高めるためのものが教示されている。
【００１１】
発明者Ｐｏｒｔｅｒによる米国特許出願公開第２００８２７３１６２号公報には、装着者が純粋に美的観点から眼鏡を装飾可能なように眼鏡のテンプルアームに装飾品を取り付ける方法が教示されている。
【００１２】
発明者Ｆｒａｎｃｅｓ  Ｔｈａｒｐによる米国特許第９，３５４，４５４号公報には、ストラップの各端部がしっかりと取り付けられるように眼鏡のイヤーピースに取り付けるために対で用いられる装置である眼鏡ストラップ取り付けシステムが教示されている。更に、該装置の外装面には、写真、スポーツの印、又はイニシャルを飾ることができる。該装置は、共にかみ合い、互いに相対的にバネで回転し、眼鏡のイヤーピースの挿入路を開通させるスプールとキャップを有する。キャップは、ストラップの端部に取り付けるために一体形成されたリングを有する。
【００１３】
発明者Ｓｃｈｍｅｌｚｅｒ  ＲｉｃｈａｒｄおよびＳｈｅｒｉによる米国特許第７，６９８，８３６号公報には、装飾品を靴に固定するシステムが教示されており、該システムは、内面を有する上部と、外面と、少なくとも１つの伸縮可能な穴と、第１端部と第２端部を有する軸と、軸の第１端部に固定され、靴の上部の少なくとも１つの伸縮可能な穴に挿入し、靴の上部の内面と係合するように構成された第１ショルダー部と、軸の第２端部に固定され、靴と係合するように構成された第２ショルダー部と、第２ショルダー部に隣接し、装飾アクセサリーを備える第３ショルダー部とを備える。
【００１４】
多種多様の眼鏡があるが、その殆どは、フロントフレームと対のテンプルを有する。図１ａ（先行技術）は、眼鏡５０の例を示す。図１ｂ（先行技術）は、眼鏡のフロント３０の例を示す。図１ｃ（先行技術）は、眼鏡のテンプル４０の例を示す。図２ａ〜２ｄ（先行技術）は、様々な形状やサイズの眼鏡のテンプルの他の例（４０ａ〜４０ｄ）を示す。
【００１５】
出願人の発明は、眼鏡のテンプルピースに装飾品を取り付ける新規で独自の解決方法を提供する。
【発明の概要】
【００１６】
本発明の教示によれば、眼鏡（５０）のテンプル（４０）への装飾品の取り付けを容易にする眼鏡用テンプル装飾キットが提供され、テンプル装飾キットは、テンプル取り付け装置と装飾品を備える。
【００１７】
テンプル取り付け装置は、軸を有する囲い状の内側開口を備える環状部と、装飾係止部とを備える。テンプル取り付け装置は弾性材料から成る単一ユニットである。装飾品は装飾部と取り付け接触部分係止部とを備える。
【００１８】
テンプル装飾キットを眼鏡（５０）のテンプル（４０）に動作可能に取り付けるとき、テンプルは環状部の囲い状の内側開口に挿通され、環状部の囲い状の内側開口は、テンプルを選択された位置で把持可能なサイズである。装飾係止部は、単一ユニットであり、取り付け接触部分係止部と連結するように構成されている。装飾係止部が取り付け接触部分係止部と連結するとき、装飾品はテンプルから離れる方向を向く。
【００１９】
幾つかの実施形態において、装飾係止部はラッチ部とステム部とを備え、ステム部は環状部とラッチ部を相互接続する。好ましくは、装飾部は平らな背面を備え、取り付け接触部分係止部は、上面を備え、平らな背面からしっかりと延設され、平らな背面に対して略垂直な係止リングサドルを備える。細長い内側開口は、狭い寸法と該背面に略平行な長い寸法とを有し、係止リングサドルの内側に形成される。
【００２０】
幾つかの実施形態において、装飾係止部はラッチ部とステム部とを備え、ステム部は環状部とラッチ部を相互接続し、ステム部の幅は、係止リングサドルの内側開口の狭い寸法よりも小さいサイズである。ラッチ部は、ステム部の両側から延び、細長いラッチリブを形成し、細長いラッチ部は、環状部の内側開口の軸に対して略垂直であり、細長いラッチ部は、係止リングサドルの内側開口に挿入され貫通されるように構成されている。平らな背面に形成された窪みには、細長いラッチ部が回転可能に挿入されることが可能であり、係止リングサドルの上面と揃えて配置されたベンチ部が、窪みの内側に形成される。
【００２１】
細長いラッチ部を係止リングサドルの内側開口に挿通させ、ステム部が係止リングサドルの内側開口の内側に収容されると、テンプル取り付け装置がステム部を中心として回転されて、環状部の内側開口は、軸が平らな背面に略平行になるまで、平らな背面から離れる方向に移動し、ラッチ部の第１側が係止リングサドルの上面に寄り掛かり、ラッチ部の第２側がベンチ部に寄り掛かることで、組み立てたテンプル装飾キットを係止状態とする。
【００２２】
幾つかの実施形態において、装飾係止部はラッチ部とステム部とを備え、ステム部は環状部とラッチ部を相互接続し、ステム部は、係止リングサドルの内側開口の狭い寸法よりも小さいサイズであり、ラッチ部は、ステム部から第１方向に延び、細長いラッチリブを形成し、細長いラッチ部は、環状部の内側開口の軸に対して略垂直であり、細長いラッチ部は、係止リングサドルの内側開口に挿入され貫通されるように構成されている。
【００２３】
そのような実施形態において、細長いラッチ部を係止リングサドルの内側開口に挿通させ、ステム部が係止リングサドルの内側開口の内側に収容されると、テンプル取り付け装置がステム部を中心として回転されて、環状部の内側開口は、軸が平らな背面に略平行になるまで、平らな背面から離れる方向に移動し、ラッチ部が係止リングサドルの上面に寄り掛かることで、組み立てたテンプル装飾キットを係止状態とする。
【００２４】
好ましくは、テンプル取り付け装置は平らな前面を備え、係止状態に達すると、平らな前面は、平らな背面に寄り掛かり又は近接する。
【００２５】
幾つかの実施形態において、装飾部は平らな背面を備え、取り付け接触部分係止部は、上面を備え、平らな背面からしっかりと延設され、平らな背面に対して略垂直な係止リングサドルを備える。
【００２６】
そのような他の実施形態の幾つかの変形例において、装飾係止部はラッチ部とステム部とを備え、ステム部は環状部とラッチ部を相互接続し、ステム部の幅は、係止リングサドルの内側開口の最小寸法よりも小さいサイズである。ラッチ部は、係止リングサドルの上面と略平行な平らな周面を形成するステム部の全ての側面から離れる方向に延設されたマッシュルームの傘の形状であり、ラッチ部は、係止リングサドルの内側開口に挿入され貫通されるように構成されている。
【００２７】
ラッチ部を係止リングサドルの内側開口に挿通させ、ステム部が係止リングサドルの内側開口の内側に収容されると、平らな周面が係止リングサドルの上面に寄り掛かることで、組み立てたテンプル装飾キットを係止状態とする。
【００２８】
任意に、装飾係止部はラッチ部とステム部とを備え、ステム部は環状部とラッチ部を相互接続し、ステム部の幅は、係止リングサドルの内側開口の最小寸法よりも小さいサイズである。ラッチ部は、係止リングサドルの上面と略平行である平らな周面を形成するステム部の全ての側面から延設されたマッシュルームの傘の形状であり、ラッチ部は、係止リングサドルの内側開口に挿入され貫通されるように構成されている。平らな背面に形成された窪みには、ラッチ部が回転可能に挿入されることが可能であり、係止リングサドルの上面と揃えて配置されたベンチ部が、窪みの内側に形成される。
【００２９】
ラッチ部を係止リングサドルの内側開口に挿通させ、ステム部が係止リングサドルの内側開口の内側に収容されると、平らな周面が係止リングサドルの上面に寄り掛かることで、組み立てたテンプル装飾キットをベンチ部の上から係止した状態とする。
【００３０】
幾つかの変形例において、装飾係止部はラッチ部と略縦方向の外面を備えるステム部とを備え、ステム部は環状部とラッチ部を相互接続し、ステム部の幅は、係止リングサドルの内側開口の最小寸法よりも小さいサイズである。ラッチ部は、マッシュルームの傘の形状であり、ステム部の外面の一部から離れる方向に延設され、係止リングサドルの上面と略平行で部分的に平らな周面を形成する。ラッチ部は、係止リングサドルの内側開口に挿入され貫通されるように構成されている。
【００３１】
ラッチ部を係止リングサドルの内側開口に挿通させ、ステム部が係止リングサドルの内側開口の内側に収容されると、平らな周面が係止リングサドルの上面に寄り掛かることで、組み立てたテンプル装飾キットを係止状態とする。
【００３２】
テンプル取り付け装置は平らな前面を備えてもよく、係止状態に達すると、平らな前面は、平らな背面に寄り掛かり又は近接してもよい。部分的に平らな平面は、平らな背面を越えてステム部の外周から離れる方向に延設されていなくてもよい。
【００３３】
更に他の幾つかの実施形態では、装飾品は装飾品本体と、開放端を有し、装飾品本体の平らな背面から延び、該背面に対して略垂直な少なくとも１つの取り付けピンとを備える。取り付けピンは、装飾品本体の平らな背面に近接する幅狭部と、幅狭部から取り付けピンの開放端へと延びる幅広部とを備える。幅広部は、幅狭部よりも幅が広い。環状部は、第１弾性を有する本体を備え、装飾係止部は第２弾性を有する本体を備える。第１弾性は第２弾性よりも高い。装飾係止部は第１側で環状部に固定され、装飾係止部の前側外面は平らな前面である。少なくとも１つの受け穴が、平らな前面に形成され、装飾係止部を通り環状部に達するまで延びる。少なくとも１つの受け穴は、取り付けピンを受け入れ可能なサイズである。
【００３４】
取り付けピンが受け穴に挿入されると、取り付けピンは装飾係止部を通り環状部へ押し込まれる。装飾係止部における受け穴の部分は、取り付けピンの幅狭部を収容するように構成され、環状部における受け穴の部分は、取り付けピンの幅広部を収容するように構成されている。装飾係止部は、環状部よりも弾性が低く、装飾係止部の内側に収容されているピンの幅広ピン部に対してストッパとして機能することで、組み立てたテンプル装飾キットを係止状態とする。
【００３５】
任意に、２つ以上の取り付けピンを用いられ、全ての取り付けピンは互いに平行であってもよい。
【００３６】
任意に、取り付けピンが装飾品本体の平らな背面に垂直でなくてもよい。
【図面の簡単な説明】
【００３７】
本発明は、以下の詳細な説明および添付の図面から十分に理解されるものであり、詳細な説明および図面は、説明および例示のためのみのものであり、何ら限定するものではない。
【図１ａ】（先行技術）（ＰＲＩＯＲ  ＡＲＴ）眼鏡の一例を示す図である。
【図１ｂ】（先行技術）眼鏡のフロントの一例を示す図である。
【図１ｃ】（先行技術）眼鏡のテンプルの一例を示す図である。
【図２ａ】（先行技術）眼鏡のテンプルの別の一例を示す図である。
【図２ｂ】（先行技術）眼鏡のテンプルの別の一例を示す図である。
【図２ｃ】（先行技術）眼鏡のテンプルの別の一例を示す図である。
【図２ｄ】（先行技術）眼鏡のテンプルの別の一例を示す図である。
【図３ａ】本発明の幾つかの実施形態に係る眼鏡のテンプル装飾キットを組み立てた一例を示す図である。
【図３ｂ】図３ａに示す眼鏡のテンプル装飾キットを組み立てた一例を示す図であり、組み立てたテンプル装飾キットは眼鏡のテンプルに取り付けられている。
【図４ａ】図３ａに示すテンプル取り付け装置を示す側面斜視図であり、テンプル取り付け装置は、眼鏡のテンプルを選択された位置で把持するように構成されている。
【図４ｂ】平らな背面を有する装飾品の一例を示す側面斜視図であって、図３ａに示すように、環状カムが、平らな背面からしっかりと延設され、背面に対して略垂直である。
【図５】図４ａに示すテンプル取り付け装置を図４ｂに示す係止リングサドルに挿入するステップを示す図である。
【図６】テンプル取り付け装置が係止リングサドルに挿入された後のテンプル装飾キットを示す図である。
【図７】テンプル取り付け装置が係止状態に回転された後のテンプル装飾キットを示す図である。
【図８ａ】図６に示すテンプル装飾キットのＡＡ’線断面図である。
【図８ｂ】図７に示すテンプル装飾キットのＢＢ’線断面図である。
【図９】図８ｂに示すテンプル装飾キットの変形例であるテンプル装飾キットの別の一例の断面図である。
【図１０】本発明の他の幾つかの実施形態に係る別の眼鏡用テンプル装飾キットを組み立てた例を示す図である。
【図１１ａ】図１０に示すテンプル取り付け装置の上方側面斜視図であり、テンプル取り付け装置は、眼鏡のテンプルを選択された位置で把持するように構成されている。
【図１１ｂ】平らな背面を有する装飾品の一例を示す上方側面斜視図であり、図１０に示すように、環状半楕円形のカムが、平らな背面からしっかりと延設され、背面に対して略垂直である。
【図１２ａ−１２ｂ】図１１ａに示すテンプル取り付け装置を図１１ｂに示す係止リングサドルに挿入するステップを示す図である。図１２ａは、組み立てていないテンプル装飾キットの上方側面斜視図を示す。図１２ｂは、組み立てていないテンプル装飾キットの下方斜視図である。
【図１３】図１０に示すテンプル装飾キットの平面図である。
【図１４】図１０に示すテンプル装飾キットの変形例であるテンプル装飾キットの別の一例の平面図である。
【図１５ａ】本発明の他の幾つかの実施形態に係るテンプル取り付け装置の別の一例であって、円形開口を有する。
【図１５ｂ】図１５ａおよび図１６ａに示すテンプル取り付け装置に取り付けられるように構成された装飾品の一例である。
【図１５ｃ】図１５ａに示すテンプル取り付け装置のＣＣ’線断面図である。
【図１６ａ】本発明の他の幾つかの実施形態に係るテンプル取り付け装置の別の一例であって、楕円形開口を有する。
【図１６ｂ】図１６ａに示すテンプル取り付け装置のＤＤ’線断面図である。
【発明を実施するための形態】
【００３８】
本発明の実施形態を詳細に説明する前に、本発明は、主たる説明で記載されている又は図面に示されている構造の詳細および構成要素の配置への適用に限定されないことを理解すべきである。
【００３９】
実施形態は、本発明の実施の一例である。「一実施形態」、「実施形態」、又は「幾つかの実施形態」といった様々な表現は、必ずしも全てが同じ実施形態を示すとは限らない。本発明の様々な特徴が１つの実施形態の文脈に記載されるかもしれないが、その特徴は、別々に又は任意の適切な組み合わせで設けられてもよい。逆に、本発明は本明細書において、明確さのため、別々の実施形態の文脈で記載されるかもしれないが、本発明が１つの実施形態で実施されてもよい。
【００４０】
明細書において、「一実施形態」、「実施形態」、「幾つかの実施形態」、又は「他の実施形態」に言及することにより、実施形態と関連して記載される特定の特徴、構造、又は特性が、本発明の、必ずしも全ての実施形態ではなく、少なくとも１つの実施形態に含まれることを意味する。本明細書で用いられる表現や用語は、限定するものとは解釈されず、記述的目的のみのものであると理解すべきである。
【００４１】
本明細書で用いられる科学技術用語の意味は、特に定義されない限り、本発明が属する科学技術について通常理解されているとおりである。本発明は、本明細書で記載されているものと同等又は類似の方法および材料を用いて検査又は実務において実施されることが可能である。
【００４２】
なお、「上」、「下」、「横の」、「縦の」、「上に」、「上の」、「下に」、「下の」、「下方の」等の方向に関連した記載は、頭を真っ直ぐにした状態で人が眼鏡を装着している場合を想定している。
【００４３】
図面を参照する。図３ａおよび図３ｂは、本発明の実施形態に係る眼鏡用テンプル装飾キット１００の一例の一実施形態を示し、テンプル装飾キット１００は、組み立てた状態である。テンプル装飾キット１００は、テンプル取り付け装置２００と装飾品３００を備える。図４ａは、テンプル取り付け装置２００の側面斜視図であり、テンプル取り付け装置２００は、眼鏡（５０）のテンプル（４０）を選択された位置で把持するように構成されている。図４ｂは、平らな背面３１２を有する装飾品３００の側面斜視図であり、係止リングサドル３２０が、平らな背面３１２からしっかりと延設され、背面に対して略垂直である。細長い内側開口３２２は、係止リングサドル３２０の内側に形成されている。図３ｂに示すように、係止リングサドル３２０の方向は、略横方向で、且つ、眼鏡（５０）の各テンプル（４０）の上縁に略平行な下面（３２３）を含む。
【００４４】
テンプル取り付け装置２００は、弾性材料から成り、ステム部２２０によって相互接続されたラッチ部２３０と環状部２１０を備える。環状部２１０は囲い状の内側開口２１４を有する。ステム部２２０は、係止リングサドル３２０の内側開口３２２のより狭い寸法よりも小さいサイズである。ラッチ部２３０は、装飾品３００の係止リングサドル３２０の内側開口３２２に挿入され貫通され、係止されるように構成されている。ラッチ部２３０は、ステム部２２０の一端に固定され、好ましくはステム部２２０に対して垂直である。ラッチ部２３０は、ステム部２２０の両側から延び、細長いラッチを形成する。細長いラッチ部２３０は、環状部２１０の内側開口２１４の軸２１５に略垂直である。
【００４５】
環状部２１０は、例えば円形又は楕円形であり、眼鏡（５０）のテンプル（４０）が挿通可能なように構成されている。環状部２１０の内側開口２１４は、テンプル（４０）を選択された位置で把持可能なサイズである。
【００４６】
任意に、窪み３３０が平らな背面３１２に形成され、ラッチ部２３０が回転可能に挿入されることが可能であってもよい。係止リングサドル３２０の上面３２４と揃えて配置されたベンチ部３３４は、窪み３３０の内側に形成される。任意に、窪み３３０は、係止リングサドル３２０の下面と揃えて配置されてもよい。
【００４７】
図５を参照すると、係止リングサドル３２０にラッチ部２３０を挿入するステップが示されている。テンプル取り付け装置２００が方向１１０に移動されるとき、ラッチ部２３０の方向が装飾品３００の係止リングサドル３２０の内側開口３２２に合うように、装飾品３００の下方に配置される。細長いラッチ部２３０は、装飾品３００の平らな背面３１２と略平行になり、係止リングサドル３２０の細長い内側開口３２２に概ね揃うように配置される。
【００４８】
図６は、ラッチ部２３０が装飾品３００の係止リングサドル３２０に挿通された状態を示し、ステム部２２０は、係止リングサドル３２０の内側開口３２２の内側に収容されている。この組み立ての時点では、テンプル取り付け装置２００は、ステム部２２０の軸を中心として矢印１２０の方向に回転され、ラッチ部２３０は、係止リングサドル３２０の上面３２４と、任意にベンチ部３３４に寄り掛かっている。図７は、テンプル取り付け装置２００が回転されて係止状態となった後の組み立てたテンプル装飾キット１００を示し、ラッチ部２３０は、係止リングサドル３２０の上面３２４とベンチ部３３４に寄り掛かっている。取り付け装置２００の平らな背面２１２は、装飾品３００の平らな背面３１２に寄り掛かり、更に安定した係止を可能にする。
【００４９】
図６に示すテンプル装飾キット１００のＡＡ’線断面図である図８ａと、図７に示すテンプル装飾キット１００のＢＢ’線断面図である図８ｂも参照する。テンプル装飾キット１００が係止状態になると、眼鏡（５０）のテンプル（４０）は環状部２１０の内側開口２１４に挿通されてもよく、内側開口２１４は、好ましくは、選択された位置でテンプル（４０）を把持可能なサイズである。
【００５０】
なお、テンプル装飾キット１００の実施形態は様々な方法で変更されてもよい。しかし、そのような変形例は、本発明の主旨と範囲から逸脱するものとはみなされず、当業者にとって自明であるような変更は全て考慮されると理解される。例えば、テンプル装飾キット１００（図８ｂ参照）の変形例であるテンプル装飾キット１０１の断面図を示す図９を参照する。装飾品３０１は、装飾品３００のように平らな背面３１２に形成された窪み３３０を有しない。テンプル取り付け装置２００のラッチ部２３０は２つのアームを有し、1つ目のアームは、係止リングサドル３２０の上面３２４に寄り掛かり係止され、他方のアームはベンチ部３３４に寄り掛かり係止されるが、テンプル取り付け装置２０１のラッチ部２３１は、上面３２４に寄り掛かり係止される１つのアームを有する。取り付け装置２０１の平らな背面（取り付け装置２００の平らな背面２１２に対応）は、装飾品３０１の平らな背面３１２に寄り掛かることにより、必要とされる安定した係止を可能とする。
【００５１】
図１０を参照すると、本発明の実施形態に係る眼鏡用テンプル装飾キット４００の一例の他の実施形態が示され、テンプル装飾キット４００は組み立てた状態にある。テンプル装飾キット４００は、テンプル取り付け装置５００と装飾品６００を備える。図１１ａは、テンプル取り付け装置５００の上方側面斜視図であり、テンプル取り付け装置５００は、眼鏡（５０）のテンプル（４０）を選択された位置で把持するように構成されている。図１１ｂは、平らな背面６１２を有する装飾品６００の上方側面斜視図であり、係止リングサドル６２０が、平らな背面６１２からしっかりと延設され、背面６１２に対して略垂直である。図１２ｂに示すように、係止リングサドル６２０の方向は、略横方向で、且つ、眼鏡（５０）の各テンプル（４０）の上縁に略平行な下面６２３を含む。典型的に、係止リングサドル６２０は硬質材料から成る。
【００５２】
テンプル取り付け装置５００は、弾性材料から成り、ステム部５２０によって相互接続されたラッチ部５３０と環状部５１０を備える。ラッチ部５３０とステム部５２０は、制限はないが、マッシュルームのような形状である。ステム部５２０の幅は、係止リングサドル６２０の内側開口よりも小さいサイズである。ラッチ部５３０は、装飾品６００の係止リングサドル６２０の内側開口を押し通されて、係止されるように構成されている。環状部５１０は、例えば円形又は楕円形であり、眼鏡（５０）のテンプル（４０）が挿通可能なように構成されている。環状部５１０の内側開口５１４は、テンプル（４０）を選択された位置で把持可能なサイズである。
【００５３】
図１２ａおよび図１２ｂを参照すると、係止リングサドル６２０にラッチ部５３０を挿入するステップが示されている。テンプル取り付け装置５００が方向４１０に移動されるとき、弾性のラッチ部５３０が装飾品６００の係止リングサドル６２０に押し通されるように、装飾品６００の下方に配置される。図１０は、ラッチ部５３０が装飾品６００の係止リングサドル６２０に押し通された状態を示し、周端部５３６（図１２ｂ参照）は、係止リングサドル６２０の上面６２４に置かれて係止されている。取り付け装置５００の平らな背面５１２は、装飾品６００の平らな背面６１２に寄り掛かり、更に安定した係止を可能にする。
【００５４】
なお、テンプル装飾キット４００の実施形態は様々な方法で変更されてもよい。しかし、そのような変形例は、本発明の主旨と範囲から逸脱するものとはみなされず、当業者にとって自明であるような変更は全て考慮されると理解される。例えば、図１０〜１２ｂを参照すると、取り付け装置５００のラッチ部５３０は、制限はないが、円形のマッシュルーム状の頭部として示され、例えば楕円形のような異なる形状であってもよい。図１４は、図１０に示すテンプル装飾キット４００の変形例であるテンプル装飾キット４０１の別の一例の平面図を示す。テンプル装飾キット４００は、テンプル取り付け装置５０１と装飾品６０１を備える。
【００５５】
テンプル取り付け装置５０１のラッチ部５３１は、制限はないが、組み立てたときに装飾品６０１の平らな背面６１２に対向する側で切り取られた円形のマッシュルーム状の頭部として示されている。従って、装飾品６０１の係止リングサドル６２１の内側開口のサイズは、係止リングサドル６２１と同様に縮小され、係止リングサドル６２１の平らな背面６２１から延設される部分は縮小されている。取り付け装置５０１の平らな背面（取り付け装置５００の平らな背面５１２に対応）は、装飾品６０１の平らな背面６１２に寄り掛かることにより、必要とされる安定した係止を可能とする。係止リングサドル６２０と同様に、係止リングサドル６２１の方向は、略横方向で、且つ、眼鏡（５０）の各テンプル（４０）の上縁に略平行な下面を含む。典型的に、係止リングサドル６２１は硬質材料から成る。
【００５６】
任意であるが、装飾品６００は、装飾品６００の窪み３３０と同様に、窪みを有してもよい。ラッチ部５３０の周端部５３６の部分は、窪み３３０のベンチ部３３４と同様に、平らな背面６１２の窪みの内側に形成されたベンチ部に寄り掛かってもよい。
【００５７】
図１５ａを参照すると、本発明の他の幾つかの実施形態に係る、円形の開口７５０を有するテンプル取り付け装置７００の別の例が示されている。図１５ｂは、テンプル取り付け装置７００に取り付けられるように構成された装飾品８００の一例である。装飾品８００は、装飾品本体８１０と、装飾品本体８１０の略平らな背面８１２から延びる少なくとも１つの取り付けピン８２０とを備える。好ましくは、取り付けピン８２０は、装飾品本体８１０の平らな背面８１２に近接する幅狭部８２２と、幅狭部８２２から取り付けピン８２０の開放端へと延びる幅広部８２４とを備える。好ましくは、幅広部８２４は、幅狭部８２２よりも幅が広い。
【００５８】
テンプル取り付け装置７００は、弾性材料から成る環状本体７１０を備える。開口７５０は、環状本体７１０に形成されている。開口７５０は、選択された位置でテンプル（４０）を把持可能なサイズである。図１５ａに示す例では、開口７５０は円形である。図１６ａに示す例では、開口９５０は楕円形である。その他については、図１６ａに示すテンプル取り付け装置９００は、テンプル取り付け装置７００と同様である。図１５ｃは、テンプル取り付け装置７００のＣＣ’線断面図である。図１６ｂは、テンプル取り付け装置９００のＤＤ’線断面図である。
【００５９】
環状本体７１０（又は９１０）の周辺側の面は、１つの略平面７１２（又は９１２）を除いて、いかなる形状であってもよい。少なくとも１つの受け穴７２０（又は９２０）が平面７１２（又は９１２）に形成され、受け穴７２０（又は９２０）は、取り付けピン８２０を受け入れ可能なサイズである。装飾品８００が２つ以上の取り付けピン８２０を備える場合、各受け穴７２０（又は９２０）は、平面７１２（又は９１２）に形成され、受け穴７２０（又は９２０）は、全ての取り付けピン８２０を受け入れるように、間隔をおいて配置される。
【００６０】
好ましくは、環状本体７１０（又は９１０）の弾性は均等でない。第１本体部７１４（又は９１４）は、平面７１２（又は９１２）から延び、第１穴部７２４（又は９２４）を有し、第１穴部７２４（又は９２４）は、幅狭部８２２を収容するように構成されている。第２本体部７１６（又は９１６）は、平面７１２（又は９１２）から延び、第２穴部７２６（又は９２６）を有し、第２穴部７２６（又は９２６）は、幅広部８２４を収容するように構成されている。好ましくは、第２本体部７１６（又は９１６）は、第１本体部７１４（又は９１４）よりも弾性がある。そのため、第２穴部７２６（又は９２６）は、幅広部８２４を収容するように構成され、より硬質の第１穴部７２４（又は９２４）は、幅広ピン部８２４に対してストッパとして機能するように構成されている。これにより、装飾品８００が、テンプル取り付け装置７００（又は９００）から誤って外れて落ちることを防止できる。
【００６１】
なお、取り付けピン８２０は、装飾品本体（７１０、９１０）の平らな背面８１２に垂直でなくてもよい。しかし、全ての取り付けピン８２０は互いに平行でなければならない。
【００６２】
なお、第１（エラー！有効なリンクでない）に動作可能に取り付けられている装飾品（３００、３０１、６００、６０１、８００）の「前」方向は、装飾品が他方のテンプル（４０）から離れる方向を向いている方向であると想定する。同様に、第１（エラー！有効なリンクでない）に取り付けられている装飾品（３００、３０１、６００、６０１、８００）の「背／後」方向は、装飾品の背面が他方のテンプル（４０）と対向する方向であると想定する。
【００６３】
本発明は、幾つかの実施形態および例に関して説明されており、それらが様々な方法で変更されても良いと理解される。そのような変形例は、本発明の主旨および範囲から逸脱するものとはみなされず、当業者にとって自明であるような変更は全て考慮される。
【図１Ａ】
2020509433.tif 000003
【図１Ｂ】
2020509433.tif 000004
【図１Ｃ】
2020509433.tif 000005
【図２Ａ】
2020509433.tif 000006
【図２Ｂ】
2020509433.tif 000007
【図２Ｃ】
2020509433.tif 000008
【図２Ｄ】
2020509433.tif 000009
【図３Ａ】
2020509433.tif 000010
【図３Ｂ】
2020509433.tif 000011
【図４Ａ】
2020509433.tif 000012
【図４Ｂ】
2020509433.tif 000013
【図５】
2020509433.tif 000014
【図６】
2020509433.tif 000015
【図７】
2020509433.tif 000016
【図８Ａ】
2020509433.tif 000017
【図８Ｂ】
2020509433.tif 000018
【図９】
2020509433.tif 000019
【図１０】
2020509433.tif 000020
【図１１Ａ】
2020509433.tif 000021
【図１１Ｂ】
2020509433.tif 000022
【図１２Ａ】
2020509433.tif 000023
【図１２Ｂ】
2020509433.tif 000024
【図１３】
2020509433.tif 000025
【図１４】
2020509433.tif 000026
【図１５Ａ】
2020509433.tif 000027
【図１５Ｂ】
2020509433.tif 000028
【図１５Ｃ】
2020509433.tif 000029
【図１６Ａ】
2020509433.tif 000030
【図１６Ｂ】
2020509433.tif 000031
【国際調査報告】
2020509433.tif 000032
2020509433.tif 000033